(57)【特許請求の範囲】
【請求項１】
レセプタクルと該レセプタクルに嵌合する光プラグとからなる光コネクタであって、
前記光プラグが、
互いに嵌合する前端面に光ファイバの芯線部が露出されるように前記光ファイバの端末に装着されたフェルールと、該フェルールが装着される前に予め前記光ファイバが挿通された圧縮スプリングとを有し、前記フェルールの中間と後端にフランジが一体に周設され、前記後端のフランジに前記圧縮スプリングの一端が当接されるようになされたフェルール組み立て体と、
前記フェルール組み立て体を収容される前後に貫通した中空の収容室と、該収容室に収容された前記フェルール組み立て体の前記フェルールの中間の前記フランジに対するストッパとを有するプラグハウジングと、
互いに嵌合するロアースプリングキャップ及びアッパースプリングキャップの二部材から構成されたスプリングキャップとを備え、
前記ロアースプリングキャップが、前記プラグハウジングに対する係合部と、前記光ファイバを湾曲させて前記フェルールの軸方向とは異なる方向へ前記光ファイバを導出するように前記光ファイバの導出方向を規制する導出方向規制部と、前記係合部と前記導出方向規制部とを区画するように立設された隔壁と、該隔壁の縁から略Ｕ字状に切り欠き、前記光ファイバを導出させつつ前記圧縮スプリングの他端が当接するように形成されたファイバ導出部とを有し、
前記アッパースプリングキャップが、前記ロアースプリングキャップに嵌合され、前記導出方向規制部を覆うカバー部材であり、
前記光ファイバは、前記導出方向規制部の光ファイバを導出する開口部の外方から前記端末まで、少なくとも外皮となる被覆が除去され、
前記被覆を除去された光ファイバの前記フェルールの後端から前記開口部までの部分を湾曲可能な範囲とした
ことを特徴とする光コネクタ。
【発明の詳細な説明】
【０００１】
【発明の属する技術分野】
本発明は、光ファイバをフェルールの軸方向とは異なる方向へ導出した光コネクタに関する。
【０００２】
【従来の技術】
例えば自動車等の車両の多重伝送回路を構成する光ファイバ（光ファイバケーブル）を送信又は受信器、或いは他のケーブルに接合する際には、光コネクタが用いられている。
【０００３】
光ファイバは、極端な曲げや捩れに弱いため、光コネクタから導出される光ファイバは、通常、真っ直ぐに導出されているが、車両のような各種電装機器やワイヤハーネスが所狭しと配置、配索されている状況下においては、光ファイバを最小限の曲げ半径で湾曲させて、光コネクタから導出するものもある。
【０００４】
このような、光ファイバを湾曲させて導出する光コネクタとしては、本願出願人が提案し、特開平１０−７８５３４号公報（特願平８−２３３０３６号  平成８年９月３日出願）に開示された光コネクタなどが知られているが、本願出願人は、その他に図１０に示されるような構成の光コネクタ１も用いている。
【０００５】
図１０を参照しながら上記光コネクタ１について説明すると、その光コネクタ１は、図示しないレセプタクルと、そのレセプタクルに嵌合する光プラグ２とから成り、光プラグ２は、フェルール組み立て体３、３と、プラグハウジング４と、スプリングキャップ５とを備えて構成されている。
【０００６】
フェルール組み立て体３は、予め圧縮スプリング６を挿通した光ファイバ７の端末に、フェルール８を装着して形成されており、フェルール８には、圧縮スプリング６の一端が当接するようになっている。
【０００７】
プラグハウジング４は、上記レセプタクルの嵌合部（不図示）に嵌合するようになっており、その内部には、プラグハウジング４の前後方向にわたって貫通しフェルール組み立て体３、３を各々収容する中空の収容室９、９が形成されている。また、プラグハウジング４の両側壁には、爪状の係止突起１０、１０（一方のみ図示、以下同様）が突設されている。
【０００８】
スプリングキャップ５は、ロアースプリングキャップ１１及びアッパースプリングキャップ１２の二部材から構成されており、ロアースプリングキャップ１１がプラグハウジング４の後部に係合するようになっている。
【０００９】
そのロアースプリングキャップ１１は、プラグハウジング４に対する係合部１３と、光ファイバ７、７に対する導出方向規制部１４とで構成されており、係合部１３には、係止突起１０、１０に係合する矩形状の孔１５、１５と、圧縮スプリング６の他端が当接し光ファイバ７、７が挿通されるファイバ導出部１６、１６とが形成されている。
【００１０】
導出方向規制部１４は、プラグハウジング４の後部から導出される光ファイバ７、７を、湾曲させた状態でほぼ９０゜横方向に導出する部分であって、その横方向の端部には、光ファイバ７、７を外部に導出する開口部１７が形成されている。また、導出方向規制部１４の側壁であって曲率半径の小さい側の側壁には、円弧状に湾曲する支持面１８が形成されている。これに対し、曲率半径の大きい側の側壁は、アッパースプリングキャップ１２に対する係止突起１９、１９と、リブ２０、２０、２０とを有しており、光ファイバ７、７の湾曲状態に沿うように形成されている。
【００１１】
アッパースプリングキャップ１２は、導出方向規制部１４を覆うカバー形状に形成されており、ロアースプリングキャップ１１との嵌合時において上記曲率半径の大きい側の側壁に重なることになる側壁２１には、上記係止突起１９、１９に係合する矩形状の孔２２、２２と、上記リブ２０、２０、２０が挿入されるガイド溝２３、２３、２３とが形成されている。
【００１２】
【発明が解決しようとする課題】
ところで以上のような光コネクタ１にあっては、フェルール組み立て体３を構成する光ファイバ７が太く、剛性もあることから、作業効率やスペース占有率が悪く、また、圧縮スプリング６の動きが鈍くなる恐れもあることから、付勢力が低下し、図示しないレセプタクルとの接続損失が大きくなると言った幾つかの問題点を有していた。
【００１３】
即ち、光ファイバ７は、一般的に、芯線部（不図示）と、その芯線部を被覆する一次シース（不図示）と、さらにその外側を被覆する二次シース７ａとで構成されており、被覆だけでも二層有することから、当然に光ファイバ７が太くなって、剛性も強くなってしまっている。そして、図１１に示される如く、最小限の曲率半径で光ファイバ７を湾曲させながらスプリングキャップ５に収容する作業の際には、非常に大きな労力がいるので作業効率が悪くなってしまっていた。
【００１４】
また、光ファイバ７が太いと、少なくともその径の分だけ開口部１７の開口幅を確保しなければならなくなることから、スプリングキャップ５の端部幅ｄが必然的に大きくなり、スペース占有率が悪くなってしまっていた。
【００１５】
さらにまた、図１１に示される如く、最小限の曲率半径で光ファイバ７を湾曲させると、圧縮スプリング６を挿通している部分も若干湾曲することになるので、例えば圧縮スプリング６が光ファイバ７に圧迫され、その動きが鈍くなると、レセプタクル（不図示）との接続損失に影響を来してしまっていた。
【００１６】
本発明は、上述した事情に鑑みてなされるもので、作業効率やスペース占有率を向上させるとともに、接続損失を極力抑えた状態に維持できる光コネクタを提供することを課題とする。
【００１７】
【課題を解決するための手段】
上記課題を解決するためなされた請求項１記載の本発明の光コネクタは、レセプタクルと該レセプタクルに嵌合する光プラグとからなる光コネクタである。前記光プラグは、互いに嵌合する前端面に光ファイバの芯線部が露出されるように前記光ファイバの端末に装着されたフェルールと、該フェルールが装着される前に予め前記光ファイバが挿通された圧縮スプリングとを有し、前記フェルールの中間と後端にフランジが一体に周設され、前記後端のフランジに前記圧縮スプリングの一端が当接されるようになされたフェルール組み立て体と、前記フェルール組み立て体を収容される前後に貫通した中空の収容室と、該収容室に収容された前記フェルール組み立て体の前記フェルールの中間の前記フランジに対するストッパとを有するプラグハウジングと、互いに嵌合するロアースプリングキャップ及びアッパースプリングキャップの二部材から構成されたスプリングキャップとを備える。前記ロアースプリングキャップは、前記プラグハウジングに対する係合部と、前記光ファイバを湾曲させて前記フェルールの軸方向とは異なる方向へ前記光ファイバを導出するように前記光ファイバの導出方向を規制する導出方向規制部と、前記係合部と前記導出方向規制部とを区画するように立設された隔壁と、該隔壁の縁から略Ｕ字状に切り欠き、前記光ファイバを導出させつつ前記圧縮スプリングの他端が当接するように形成されたファイバ導出部とを有する。前記アッパースプリングキャップは、前記ロアースプリングキャップに嵌合され、前記導出方向規制部を覆うカバー部材である。そして、前記光ファイバは、前記導出方向規制部の光ファイバを導出する開口部の外方から前記端末まで、少なくとも外皮となる被覆が除去され、前記被覆を除去された光ファイバの前記フェルールの後端から前記開口部までの部分を湾曲可能な範囲としたことを特徴としている。
【００２０】
請求項１に記載された本発明によれば、光ファイバは、導出方向規制部の光ファイバを導出する開口部の外方から光ファイバの端末までの被覆を除去し、湾曲させる部分の径を細めた光ファイバとなることから、光ファイバ自体が細くなるのは勿論のこと、除去した被覆の分だけ剛性も下がることになり、僅かな力で光ファイバを湾曲させることが可能となる。
【００２１】
また、フェルールを付勢する圧縮スプリングがフェルール後端のフランジに一端が当接される構成となっているので、圧縮スプリングの配設位置が確実に設定湾曲範囲内に含まれることになる。設定湾曲範囲内における光ファイバは、従来よりも除去した被覆の分だけ細くなっていることから、従来と同じ曲率半径で光ファイバを湾曲させた場合、当然に圧縮スプリングを圧迫することはない。
【００２２】
さらに、少なくとも外部に導出されるまでは、光ファイバが従来よりも除去した被覆の分だけ細くなっていることになる。
【００２３】
【発明の実施の形態】
以下、図面を参照して本発明の一実施の形態を説明する。
図１は本発明の光コネクタの一実施の形態を示す光プラグの分解斜視図（スプリングキャップを手前に配置）である。また、図２は図１に対しプラグハウジングを手前にした光プラグの分解斜視図、図３はスプリングキャップの組み立て状態を示す光プラグの分解斜視図、図４は図３の状態から組み立てが完了した状態を示す光プラグの斜視図、図５は光プラグの正面図、図６は光プラグの平面図、図７は光プラグの底面図、図８は光プラグの右側面図、図９は図５のＡ−Ａ線断面図を示している。
【００２４】
図１及び図２において、引用符号３１は図示しないレセプタクルと共に光コネクタを構成する光プラグを示しており、その光プラグ３１は、従来よりも部分的に細くなった光ファイバ３７、３８を有するフェルール組み立て体３２、３２と、そのフェルール組み立て体３２、３２を収容するプラグハウジング３３と、プラグハウジング３３の後部に係合するスプリングキャップ３４とを備えて構成されている。
【００２５】
また、スプリングキャップ３４は、互いに嵌合するロアースプリングキャップ３５とアッパースプリングキャップ３６との二部材で構成されるようになっている。
【００２６】
そして、光プラグ３１は、図３に示される如く、フェルール組み立て体３２、３２を収容したプラグハウジング３３の後端面から導出される光ファイバ３７、３８を、図中の実線で示される略直線状態で導出したまま、ロアースプリングキャップ３５をプラグハウジング３３の後部に係合させることができるようになっている。また、上記光ファイバ３７、３８を図中の仮想線で示される湾曲状態にそれぞれ湾曲させ、アッパースプリングキャップ３６をロアースプリングキャップ３５に嵌合させると、一連の組み立てが完了するようになっている（図４参照）。
【００２７】
先ず、上記各構成部材の詳細な説明を以下にする。
【００２８】
上記フェルール組み立て体３２、３２は、図１及び図２に示される如く、光ファイバ３７、３８とフェルール３９、３９と、圧縮スプリング４０、４０（特許請求の範囲に記載したスプリングに相当）とで構成されており、圧縮スプリング４０、４０をそれぞれ挿通した光ファイバ３７、３８の端末にフェルール３９、３９を装着することで形成されるようになっている。
【００２９】
光ファイバ３７、３８は、コア及びクラッドから成る芯線部４１、４１（図２参照、以下同様）と、その芯線部４１、４１を被覆する一次シース４２、４２と、一次シース４２、４２を更に被覆する二次シース４３、４３（特許請求の範囲に記載した外皮に相当）とで構成されており、被覆全てを皮剥され露出した上記芯線部４１、４１がフェルール３９、３９の後述する小径部４４、４４に装着されるようになっている。また、二次シース４３、４３のみを皮剥して露出した一次シース４２、４２は、フェルール３９、３９の後述する大径部４５、４５に装着されるようになっている。
【００３０】
一次シース４２、４２は、フェルール３９、３９の後端面から、湾曲状態でロアースプリングキャップ３５より外部へ導出されるまでの範囲が外部に露出するようになっている。即ち、光プラグ３１における光ファイバ３７、３８の湾曲する範囲は、光プラグ３１の使用形態によって自ずと決まってくることから、本形態では、湾曲範囲ＥＸ１、ＥＸ２（図１参照、特許請求の範囲に記載した設定湾曲範囲に相当）のように、予め湾曲する範囲を設定して、その範囲の一次シース４２、４２を露出させるようになっている。
【００３１】
このような範囲で一次シース４２、４２を露出させると、光ファイバ３７、３８がその範囲において従来よりも細くなり、また、剛性も低下することになることから、湾曲に係る作業が容易になり、作業効率の向上を図ることができるようになる。また、従来と同じ曲率半径で光ファイバ３７、３８を湾曲させた場合、その湾曲した光ファイバ３７、３８がスプリング４０、４０を圧迫することもない。
【００３２】
尚、本形態では、フェルール３９、３９の後端面が恰も湾曲開始の基準位置のようになっているが、これに限られるものではない。また、湾曲終了の位置は、ロアースプリングキャップ３５より外部へ導出される位置に限定されるものでもない。さらに、芯線部４１、４１を取り巻く被覆は二層となっているが、これに限られず三層であってもよい。この場合、湾曲範囲内において外側から二層目までを皮剥することができる。
【００３３】
光ファイバ３７、３８は、湾曲する範囲の長さが各々異なるため（参照：湾曲範囲ＥＸ１＞湾曲範囲ＥＸ２）、一次シース４２、４２の露出する範囲が図中に示されるように非対称になっている。
【００３４】
フェルール３９、３９は、小径部４４、４４及び大径部４５、４５から成る段付きの円筒形状に形成されており、図１、２などに示されているように、大径部４５、４５の中間と後端には、フランジ４６、４６がそれぞれ周設されている。フェルール３９、３９の前端面（小径部４４、４４の前端面）には、光ファイバ３７、３８の芯線部４１、４１が露出するようになっている。
【００３５】
フランジ４６、４６には、圧縮スプリング４０、４０の一端が当接するようになっている。
【００３６】
圧縮スプリング４０、４０は、図１０の圧縮スプリング６、６と同じものであって二次シース４３、４３よりも大きな内径を有している。また、圧縮スプリング４０、４０は、一次シース４２、４２が露出する部分（参照：湾曲範囲ＥＸ１、ＥＸ２）に配置されることから、径方向の寸法差が大きくなって伸縮性が良好になっている（接続損失を極力抑えた状態に維持できる）。
【００３７】
上記プラグハウジング３３は、図１ないし図９のいずれかに示される如く、矩形箱状に形成されており、内部には、前後に貫通する中空の収容室４７、４７が形成されている。また、プラグハウジング３３の上壁には、ロッキングアーム４８とガイドリブ４９、４９とファイバ保持リブ５０、５０とが設けられており、両側壁には、爪状の係止突起５１、５１が形成されている。
【００３８】
収容室４７、４７には、フェルール組み立て体３２、３２が収容されるようになっており、中間部分には、付勢されたフェルール組み立て体３２、３２に対するストッパ５２、５２が形成されている。
【００３９】
ロッキングアーム４８は、プラグハウジング３３の上壁中央に設けられており、レセプタクル（不図示）との係合の際に用いられるようになっている。
【００４０】
ガイドリブ４９、４９は、側壁から連続するように形成されており、ロアースプリングキャップ３５の外れ防止対策に寄与するようになっている。
【００４１】
ファイバ保持リブ５０、５０は、片持ち突片形状に形成されて、プラグハウジング３３の後端面における収容室４７、４７の開口縁部近傍に配設され、収容されたフェルール組み立て体３２、３２の光ファイバ３７、３８（一次シース４２、４２）を保持することができるようになっている（アッパースプリングキャップ３６の組み付け等が容易になる利点がある。また、アッパースプリングキャップ３６の組み付け前に、光ファイバ３７、３８が仮に何らかの拍子に持ち上げられた場合、その弾力性でストレスが掛からないように作用する）。
【００４２】
上記ロアースプリングキャップ３５は、図１ないし図９のいずれかに示される如く、平面視略Ｌ字形状であってプラグハウジング３３に対する係合部５３と、光ファイバ３７、３８に対する導出方向規制部５４とを備えて構成されている。
【００４３】
係合部５３と導出方向規制部５４は連続形成されており、係合部５３に設けられた両側壁には、孔５５、５５とガイドリブ係合部５６、５６とがそれぞれ形成されている。また、係合部５３と導出方向規制部５４とを区画するように立設する係合部５３の隔壁５７には、ファイバ導出部５８、５８が切り欠き形成されている。
【００４４】
孔５５、５５は、上記係止突起５１、５１に係合するように矩形状に穿設されており、また、ガイドリブ係合部５６、５６は、上記ガイドリブ４９、４９を摺動することができるように断面視コ字状に形成されている（上記両側壁間の方向の開きを規制することができる）。
【００４５】
ファイバ導出部５８、５８は、隔壁５７の上端縁から略Ｕ字状に切り欠いて形成されており、組み付け時に圧縮スプリング４０、４０の他端が当接するようになっている。即ち、ロアースプリングキャップ３５がプラグハウジング３３の後部に係合すると、フェルール組み立て体３２、３２がプラグハウジング３３の前部に向けて付勢されるようになっている。
【００４６】
導出方向規制部５４は、プラグハウジング３３の後端面から導出される光ファイバ３７、３８を、湾曲させた状態でほぼ９０゜横方向に導出させる部分であって、周縁部には三つの側壁５９、６０、６１が形成されている。
【００４７】
曲率半径の小さい側であって上記横方向の端部に連成される略Ｌ字状の側壁５９には、円弧状に湾曲する支持面６２が形成されている。また、上記横方向の端部側で支持面６２に略対向する位置には、側壁６０が配置されている。側壁６０は、湾曲させた光ファイバ３７、３８の復元を阻止するとともに、後述する直線経路との隔たりをもたせるようになっている。
【００４８】
側壁５９と側壁６０との間には、湾曲させた光ファイバ３７、３８を外部に導出させる開口部６３が形成されており、曲率半径の大きい側となる側壁６０と側壁６１の間には、プラグハウジング３３の後部から導出されたままの略直線状態の光ファイバ３７、３８を導出させる開口部６４が形成されている。
【００４９】
開口部６３を有することで、導出方向規制部５４に光ファイバ３７、３８がファイバ導出部５８、５８から支持面６２に沿って導出される湾曲経路が形成されることになる。また、開口部６４を有することで、同じく導出方向規制部５４に光ファイバ３７、３８が上述のような略直線状態で導出される直線経路が形成されることになる。
【００５０】
尚、光ファイバ３７、３８が従来よりも細くなっているので、開口部６３の開口幅が狭くなっている。これによって、スプリングキャップ３４の端部幅Ｄが従来（端部幅ｄ：図１１参照）よりも小さくなり、全長Ｌが短縮されることになる（スペース占有率が向上する）。また、剛性低下に伴い、従来よりも小さい曲率半径で光ファイバ３７、３８を湾曲させることができるようになり、全長Ｌの短縮が可能となる。
【００５１】
三つの側壁５９、６０、６１には、それぞれアッパースプリングキャップ３６に対する係止突起６５とリブ６６とが形成されており、その各リブ６６が導出方向規制部５４の裏側に形成された補強リブ６７に連続するようになっている。
【００５２】
上記アッパースプリングキャップ３６は、導出方向規制部５４を覆う断面コ字状に形成されたカバー部材であって、上記側壁５９に重なる側壁６８には、上記係止突起６５に係合する孔６９と、上記リブ６６が挿入されるガイド溝７０とが形成されている。また、上記側壁６０、６１に重なるとともに上記開口部６４を閉塞する側壁７１にも、側壁６８と同様の孔６９とガイド溝７０が複数形成されている。
【００５３】
尚、引用符号７２、７２は、ロアースプリングキャップ３５との嵌合の際に、プラグハウジング３３のファイバ保持リブ５０、５０を回避するよう形成された凹部を示している。
【００５４】
次に、上記光プラグ３１の詳細な組み立て工程を以下に説明する。
工程の手順としては、ファイバ端末処理工程と、フェルール組み立て体収容工程と、第一〜第三スプリングキャップ組み立て工程とに分かれているので、この順序に沿って説明することにする。
【００５５】
先ず、ファイバ端末処理工程（図１及び図２参照）によって、フェルール組み立て体３２、３２を形成する。即ち、光ファイバ３７、３８に圧縮スプリング４０、４０を挿通するとともにその光ファイバ３７、３８の端末にフェルール３９、３９を装着してフェルール組み立て体３２、３２を形成する。
【００５６】
そして、ファイバ端末処理工程により形成されたフェルール組み立て体３２、３２をフェルール組み立て体収容工程（図１ないし図３参照）によりプラグハウジング３３の収容室４７、４７に収容する。
【００５７】
続いて、第一スプリングキャップ組み立て工程を行い、ロアースプリングキャップ３５をプラグハウジング３３の後部に係合させる（図２及び図３参照）。即ち、プラグハウジング３３から導出された光ファイバ３７、３８を上記直線経路に収容し、光ファイバ３７、３８がプラグハウジング３３からフェルール３９、３９の軸方向に略直線的に導出された状態で、ロアースプリングキャップ３５をプラグハウジング３３に係合させる（図３参照）。
【００５８】
この時、プラグハウジング３３のガイドリブ４９、４９にロアースプリングキャップ３５のガイドリブ係合部５６、５６が摺動し、また、プラグハウジング３３の係止突起５１、５１にロアースプリングキャップ３５の孔５５、５５が係合するようになる（図３参照）。
【００５９】
続いて第一スプリングキャップ組み立て工程が終了すると、第二スプリングキャップ組み立て工程へ移行する（図３参照）。第二スプリングキャップ組み立て工程では、直線経路にある光ファイバ３７、３８を湾曲経路へ経路変更する作業が行われる。
【００６０】
尚、湾曲させた光ファイバ３７、３８は、側壁６０によってその復元が阻止されるから作業性に影響することはない。
【００６１】
その後、第三スプリングキャップ組み立て工程（図３及び図４参照）へ移行し、アッパースプリングキャップ３６をロアースプリングキャップ３５に嵌合させる（図４参照）。ロアースプリングキャップ３５の各リブ６６にアッパースプリングキャップ３６の各対応するガイド溝７０が案内され、また、ロアースプリングキャップ３５の係止突起６５にアッパースプリングキャップ３６の孔６９が係合する。
【００６２】
以上により、光プラグ３１の組み立てが完了する。
【００６３】
図１ないし図９までを参照しながら説明してきたように、本形態の光コネクタは、湾曲させる部分の被覆を除去し径を細めた光ファイバ３７、３８を有する光プラグ３１を備えていることから、上述の如く、作業効率やスペース占有率が向上することになる。また、圧縮スプリング４０、４０の伸縮性も確保されるので、光プラグ３１が嵌合するレセプタクル（不図示）との接続損失を極力抑えた状態に維持することができるようになる。
【００６４】
その他、本発明は本発明の主旨を変えない範囲で種々変更実施可能なことは勿論である。
即ち、一心式光ファイバ双方向通信システム用の光コネクタにも当然に応用することができる。
【００６５】
【発明の効果】
以上説明したように、請求項１に記載された本発明によれば、湾曲させる部分の被覆を除去し径を細めた光ファイバとなることから、光ファイバ自体が細くなるのは勿論のこと、除去した被覆の分だけ剛性も下がることになる。これにより、僅かな力で光ファイバを湾曲させることが可能になる。
従って、以上のような光ファイバを有する光コネクタを提供することにより、作業効率の向上を図ることができるという効果を奏する。
【００６６】
また、フェルールを付勢する圧縮スプリングがフェルール後端のフランジに一端が当接される構成となし、被覆を除去された光ファイバのフェルールの後端から導出方向規制部の開口部までの部分を湾曲可能な範囲としていることから、そのフェルールに当接しフェルールを付勢する圧縮スプリングの配設位置が確実に湾曲範囲内に含まれることになる。湾曲範囲内における光ファイバは、従来よりも除去した被覆の分だけ細くなっていることから、従来と同じ曲率半径で光ファイバを湾曲させた場合、当然に圧縮スプリングを圧迫することはない。
従って、圧縮スプリングの伸縮性が確保されるので、接続損失を極力抑えた状態に維持することができるという効果を奏する。
【００６７】
さらに、設定湾曲範囲における湾曲終了の位置が、スプリングキャップの外方にあることから、少なくとも外部に導出されるまでは、光ファイバが従来よりも除去した被覆の分だけ細くなっている。
従って、光ファイバを導出する部分となる開口部の開口幅が狭められるから、少なくともその狭めた分だけスペース占有率を向上させることができるという効果を奏する。
【図面の簡単な説明】
【図１】本発明による光コネクタの一実施の形態を示す光プラグの分解斜視図（スプリングキャップを手前に配置）である。
【図２】図１に対しプラグハウジングを手前にした光プラグの分解斜視図である。
【図３】スプリングキャップの組み立て状態を示す光プラグの分解斜視図である。
【図４】図３の状態から組み立てが完了した状態を示す光プラグの斜視図である。
【図５】光プラグの正面図である。
【図６】光プラグの平面図である。
【図７】光プラグの底面図である。
【図８】光プラグの右側面図である。
【図９】図５のＡ−Ａ線断面図である。
【図１０】本発明よりも先に本願出願人が用いている光プラグの分解斜視図である。
【図１１】図１０の光プラグの横断面図である。
【符号の説明】
３１  光プラグ
３２  フェルール組み立て体
３３  プラグハウジング
３４  スプリングキャップ
３５  ロアースプリングキャップ
３６  アッパースプリングキャップ
３７、３８  光ファイバ
３９  フェルール
４０  圧縮スプリング（スプリング）
４１  芯線部
４２  一次シース
４３  二次シース（外皮）
４４  小径部
４５  大径部
４６  フランジ
４７  収容室
４８  ロッキングアーム
４９  ガイドリブ
５０  ファイバ保持リブ
５１  係止突起
５２  ストッパ
５３  係合部
５４  導出方向規制部
５５  孔
５６  ガイドリブ係合部
５７  隔壁
５８  ファイバ導出部
５９、６１  側壁
６０  側壁
６２  支持面
６３  開口部
６４  開口部
６５  係止突起
６６  リブ
６７  補強リブ
６８  側壁
６９  孔
７０  ガイド溝
７１  側壁
７２  凹部
【図１】
0003731794.tif 000002
【図２】
0003731794.tif 000003
【図３】
0003731794.tif 000004
【図４】
0003731794.tif 000005
【図５】
0003731794.tif 000006
【図６】
0003731794.tif 000007
【図７】
0003731794.tif 000008
【図８】
0003731794.tif 000009
【図９】
0003731794.tif 000010
【図１０】
0003731794.tif 000011
【図１１】
0003731794.tif 000012